(57)【要約】【課題】配信されたコンテンツに応じて自動利得制御のオンとオフを切り換えることが可能な再生装置を提供すること。【解決手段】ユーザによるダウンロードを希望するコンテンツの選択とを受け付ける指示受信部２１７と、指示受信部２１７で受け付けたダウンロードを希望するコンテンツを、サーバからダウンロードするネットワーク制御部２１６と、ネットワーク制御部２１６でダウンロードしたコンテンツをデコードして出力するＡＶデコーダ２０７と、自動利得制御がオン／オフに応じて映像信号及び／または音声信号を出力するＡＧＣ２０８と、ＡＧＣ２０８における自動利得制御のオンとオフを切り換えるＣＰＵ２１３と、ＡＧＣ２０８から出力された映像信号及び／または音声信号を外部に出力するグラフィック制御部２０９及びＡＶ出力部２１１と、を備えている。【選択図】図４
2010129098.tif 000002
【特許請求の範囲】
【請求項１】
ネットワークを介して接続するサーバからコンテンツをダウンロードするダウンロード部と、
前記ダウンロード部でダウンロードしたコンテンツをデコードし、映像信号および音声信号として出力するデコーダと、
前記ダウンロード部でダウンロードするコンテンツに応じて、前記映像信号及び／または前記音声信号の信号レベルの調整をする自動利得制御部と、
前記自動利得制御部から出力された映像信号及び／または音声信号を外部に出力する出力部と、
を備えた、再生装置。
【請求項２】
前記自動利得制御部は、
前記ダウンロード部でダウンロードするコンテンツを配信するコンテンツ配信サービスに応じて、前記映像信号及び／または前記音声信号の信号レベルの調整をする、請求項１に記載の再生装置。
【請求項３】
前記自動利得制御部は、
前記ダウンロード部でダウンロードするコンテンツを配信するコンテンツ配信サービスが、
任意のユーザがコンテンツのアップロードが可能であるコンテンツ配信サービスである場合に、自動利得制御をオンにすることを特徴とする、請求項２に記載の再生装置。
【請求項４】
前記自動利得制御部は、
前記ダウンロード部でダウンロードするコンテンツに著作権情報が含まれない場合には、
前記ダウンロード部でダウンロードするコンテンツが前記自動利得制御部における自動利得制御をオンとすべきコンテンツであっても、
前記自動利得制御部における自動利得制御をオフにすることを特徴とする、請求項１乃至３のいずれかに記載の再生装置。
【請求項５】
前記自動利得制御部は、
前記ダウンロード部でダウンロードするコンテンツの再生時間が第一の時間の場合は前記自動利得制御部における自動利得制御をオンにし、
前記ダウンロード部でダウンロードするコンテンツの再生時間が第一の時間よりも長い第二の時間の場合は、
前記ダウンロード部でダウンロードするコンテンツが前記自動利得制御部における自動利得制御をオンとすべきコンテンツあっても、
前記自動利得制御部における自動利得制御をオフにする請求項１乃至３のいずれかに記載の再生装置。
【請求項６】
前記自動利得制御部は、
ダウンロードするコンテンツのダウンロード先のサーバのＵＲＬに基づき、
前記映像信号及び／または前記音声信号の信号レベルの調整をする、請求項１乃至３のいずれかに記載の再生装置。
【請求項７】
前記自動利得制御部は、
前記ダウンロード部でコンテンツともにダウンロードした自動利得制御情報に基づき、自動利得制御を調整する、請求項１乃至３のいずれかに記載の再生装置。
【請求項８】
ユーザの自動利得制御のオンまたはオフの希望を受け付ける前記受付部をさらに備え、
前記自動利得制御部は、
前記ダウンロード部でダウンロードするコンテンツが自動利得制御をオンとすべきコンテンツであっても、
前記受付部がユーザの自動利得制御のオフの希望を受け付けている場合には、
自動利得制御をオフにする、請求項１乃至３のいずれかに記載の再生装置。
【請求項９】
ネットワークを介して接続するサーバからコンテンツをダウンロードするダウンロード部と、
前記ダウンロード部でダウンロードしたコンテンツをデコードし、映像信号として出力するデコーダと、
前記ダウンロード部でダウンロードするコンテンツに応じて、前記映像信号の信号レベルの調整をする自動利得制御部と、
前記自動利得制御部から出力された映像信号を表示する表示部と、
を備えた、表示装置。
【請求項１０】
ネットワークを介して接続するサーバからコンテンツをダウンロードするダウンロード部と、
前記ダウンロード部でダウンロードしたコンテンツをデコードし、音声信号として出力するデコーダと、
前記ダウンロード部でダウンロードするコンテンツに応じて、前記前記音声信号の信号レベルの調整をする自動利得制御部と、
前記自動利得制御部から出力された音声信号を音声として出力するスピーカと、
を備えた、音声再生装置。
【発明の詳細な説明】
【技術分野】
【０００１】
本発明は、ダウンロードしたコンテンツを再生可能な再生装置、表示装置、音声再生装置に関する。
【背景技術】
【０００２】
近年、コンテンツの配信方法として、放送によるコンテンツの配信だけではなく、インターネットなど他の通信網を用いて、コンテンツを配信する方法が普及している。例えば、特許文献１には、ＶＯＤ（ｖｉｄｅｏ  ｏｎ  ｄｅｍａｎｄ）によるコンテンツの配信が開示されている。コンテンツ配信サービスの形態としては、大きく分けて下記の２通りがある。
【０００３】
第１のコンテンツ配信方法では、動画共有サービスに代表されるコンテンツの配信方法である。このサービスにおいては、任意のユーザが所定のサーバに、自らが撮像した映像コンテンツや自らが作成した映像コンテンツを自由にアップロードすることができる。また、ユーザはアップロードされたこれらのコンテンツを自由にダウンロードすることができる。
【０００４】
第２のコンテンツ配信方法では、映画や音楽映像などのコンテンツの配信に用いられるコンテンツ配信方法である。このコンテンツ配信方法においては、コンテンツサービス業者がサーバに記録されるコンテンツを管理し、ユーザはそのコンテンツ配信業者の許可を得て、コンテンツをダウンロードする。
【特許文献１】特開平１０‐１３８１６号公報
【発明の開示】
【発明が解決しようとする課題】
【０００５】
上記第１のコンテンツ配信方法においては、サーバにアップロードされているコンテンツは、不特定多数のユーザがアップロードしたコンテンツである。したがって、サーバ上には、再生時に適切な信号レベルに調整されていないコンテンツが多数存在し得る。具体的には、映像信号が明るすぎたり暗すぎたりするコンテンツが多数存在し得る。また、音声信号が大きすぎたり小さすぎたりするコンテンツが多数存在し得る。
【０００６】
上記課題を解決する為には、再生装置に自動利得制御部を設けて、再生する映像信号と音声信号を適切な信号レベルに調整することが考えられる。
【０００７】
しかし、第２のコンテンツ配信方法により配信される映画や音楽映像などのコンテンツは、既に再生に適切な映像信号レベル及び音声信号レベルに調整されている。その為、既に信号レベルを調整されたコンテンツに更に自動利得制御を実行すると、反って映像信号レベル及び音声信号レベルが最適値から離れてしまうという課題があった。
【０００８】
本発明の目的は、配信されたコンテンツに応じて自動利得制御のオンとオフを切り換えることが可能な再生装置を提供することである。
【課題を解決するための手段】
【０００９】
本発明の再生装置は、ユーザによるコンテンツ配信サービスの選択と、その選択したコンテンツ配信サービスにより提供されるコンテンツ中から、ユーザによるダウンロードを希望するコンテンツの選択とを受け付ける受付部と、前記受付部で受け付けたダウンロードを希望するコンテンツを、ネットワークを介して接続するサーバからダウンロードするダウンロード部と、前記ダウンロード部でダウンロードしたコンテンツをデコードし、映像信号および音声信号として出力するデコーダと、自動利得制御がオンの場合には前記映像信号及び／または前記音声信号の信号レベルを調整して出力し、自動利得制御がオフの場合には前記映像信号及び／または前記音声信号をそのまま出力する自動利得制御部と、前記受付部で選択を受け付けたコンテンツ配信サービスに応じて、前記自動利得制御部における自動利得制御のオンとオフを切り換える切換判別部と、前記自動利得制御部から出力された映像信号及び／または音声信号を外部に出力する出力部と、を備える。
【００１０】
これにより、配信されたコンテンツに応じて自動利得制御のオンとオフを切り換えることが可能となる。
【発明の効果】
【００１１】
本発明の再生装置によれば、配信されたコンテンツに応じて自動利得制御のオンとオフを切り換えることが可能となる為、コンテンツをより適切な信号レベルで再生することができる。
【発明を実施するための最良の形態】
【００１２】
（実施の形態１）
本発明における第１の実施の形態を以下に説明する。図１は再生装置を含むコンテンツ配信システムの構成を示すブロック図である。デジタルテレビ１００は放送を受信し表示する。また、レコーダ１０１から映像信号と音声信号を受信し、表示する。デジタルテレビ１００とレコーダ１０１は、例えばＨＤＭＩなどのケーブルで接続される。なお、接続の方法としては、ＬＡＮを用いてもかまわない。
【００１３】
レコーダ１０１は放送を受信記録する。また、レコーダ１０１はネットワーク網１０３または記録メディア（ＢＤ，ＤＶＤ、ＳＤカードなど）からコンテンツを受信し記録する。受信した放送や記録したコンテンツの映像信号と音声信号をデジタルテレビ１００に送信する。
【００１４】
ユーザはリモコン１０２を用いて、レコーダ１０１を制御する。
【００１５】
また、レコーダ１０１はネットワーク網１０３を介して、第１のサーバ１０４及び第２のサーバ１０５が接続されている。第１のサーバ１０４及び第２のサーバ１０５には、コンテンツが記録されている。ここで言うコンテンツとは、映画などの映像に関するコンテンツや、音楽に関するコンテンツなどを含む。第１のサーバ１０４と第２のサーバ１０５はコンテンツ配信サービスの為のコンテンツを記録するサーバである。
【００１６】
ここで、コンテンツ配信サービスについて詳細に説明する。コンテンツ配信サービスの形態としては、主に下記の２通りがある。１つ目のサービス形態（以下、第１のサービスと称する）は、映画や音楽映像の配信など、コンテンツ配信業者が配信するコンテンツを管理し、ユーザはそのコンテンツをダウンロードすることで、コンテンツの配信を受ける方法である。第１のサービスによるコンテンツ配信の場合は、ユーザは自身が所有するコンテンツをサーバにアップロードすることはできない。したがって、第１のサービスにおいては、提供されるコンテンツはコンテンツ配信業者により管理されたコンテンツであるので、のコンテンツは映像信号と音声信号の信号レベルが適切に設定されている。
【００１７】
一方、２つ目のサービス形態（以下、第２のサービスと称する）は、ユーザが自らが撮像したコンテンツや自らが作成したコンテンツ自由にコンテンツのアップロードをすることができ、他のユーザはそのコンテンツをダウンロードすることで、コンテンツの配信を受ける方法である。第２のサービスによるコンテンツ配信の場合は、個々のユーザは自身が所有するコンテンツをサーバにアップロードするため、提供されるコンテンツは映像信号と音声信号の信号レベルが適切に設定されていないものを多く含み得る。
【００１８】
図１においては、第１のサーバ１０４は第１のサービスのコンテンツを記録するためのサーバであり、第２のサーバ１０５は第２のサービスのコンテンツを記録するためのサーバである。
【００１９】
本発明のレコーダの構成を説明する。図２は本発明のレコーダの構成を示すブロック図である。レコーダ１０１は、チューナ２０１と、ＡＤＣ（analog digital convertor：アナログデジタル変換部）２０２と、ＡＶエンコーダ２０３と、ドライブ制御部２０４と、ハードディスク２０５と、ディスク２０６と、ＡＶデコーダ２０７と、ＡＧＣ２０８（Auto Gain Controller:自動利得制御部）と、グラフィック制御部２０９と、メモリ２１０と、ＡＶ出力部２１１と、フラッシュメモリ２１２と、ＣＰＵ２１３と、ＲＡＭ２１４と、バス２１５と、ネットワーク制御部２１６と、指示受信部２１７と、を含む。
【００２０】
チューナ２０１は、アンテナで受信したデジタル放送の1つチャンネル信号を選択して、テレビジョン信号を出力する。
【００２１】
ＡＤＣ２０２は、チューナ２０１で選局されたアナログのテレビジョン信号をデジタル変換する。
【００２２】
ＡＶエンコーダ２０３は、ＡＤＣ２０２でデジタル信号に変換したテレビジョン信号をＭＰＥＧ−２形式に圧縮符号化して、ＤＶＤビデオレコーディング規格に準拠したＭＰＥＧ−２プログラムストリームを生成する。なお、本実施の形態では圧縮符号化の方式をＭＰＥＧ−２形式としたが、ＭＰＥＧ−４など他の方式でも良い。また、本実施の形態ではストリームの方式をＭＰＥＧ−２プログラムストリームとしたが、ＭＰＥＧ−２トランスポートストリームなど他の方式でも良い。
【００２３】
ドライブ制御部２０４は、ＡＶエンコーダ２０３から出力されたＭＰＥＧ−２プログラムストリームをハードディスク２０５またはディスク２０６へコンテンツとして書き込む。また、ハードディスク２０５またはディスク２０６に記録されたコンテンツを読み出し、ＡＶデコーダ２０７に出力する。
【００２４】
ハードディスク２０５は、コンテンツを記録可能な記録媒体であり、例えば、ハードディスクである。ハードディスク２０５は、ドライブ制御部２０４によりコンテンツを記録される。また、ハードディスク２０５はドライブ制御部２０４によりコンテンツを読み出される。
【００２５】
ディスク２０６は、コンテンツを記録可能なメディアであり、例えば、ＢＤやＤＶＤである。
【００２６】
ＡＶデコーダ２０７は、供給されたコンテンツを映像信号及び音声信号にデコードし、ＡＧＣ２０８に出力する。
【００２７】
なお、デジタル放送の場合は、チューナ２０１で選局された信号がＡＶでコーダ２０７に入力され映像信号及び音声信号にデコードし、ＡＧＣ２０８に出力する。また、ハードディスク２０５やディスク２０６に記録される場合は、チューナ２０１で選局された信号がドライブ制御部２０４により記録される。もしくは、チューナ２０１で選局された信号がＡＶでコーダ２０７においてデコードされ、また、ＡＶエンコーダ２０３においてエンコードされた後、ドライブ制御部２０４により記録される。
【００２８】
ＡＧＣ２０８は、入力された映像信号と音声信号に対し、自動利得制御を実行し、グラフィック制御部２０９に出力する。もしくは、入力された映像信号と音声信号とをそのままグラフィック制御部２０９に出力する。自動利得制御を実行するか否かは、後述するＣＰＵ２１３の制御に従う。ここで、自動利得制御について簡単に説明する。図３は自動利得制御における入力信号レベルと出力信号レベルの一例を示す図である。横軸が入力信号レベルを示し、縦軸が出力信号レベルを示す。点線は入力信号レベルと出力信号レベルが同じ場合（つまり、自動利得制御をしない場合）を示す。図３に基づく自動利得制御においては、入力レベルの小さい信号は大幅に増幅され、入力レベルの大きい信号はほとんど増幅されない。
【００２９】
グラフィック制御部２０９は、種々のメニュー画像をＡＧＣ２０８から供給された映像と合成して、音声信号とともに、ＡＶ出力部２１１に出力する。合成される画像は、メモリ２１０に記憶されている。または、ＲＡＭ２１４に記録されたデータをＣＰＵ２１３が解釈し、グラフィック制御部２０９で合成する。メモリ２１０は、グラフィック制御部２０９で合成する画像データを記憶する。
【００３０】
ＡＶ出力部２１１は、グラフィック制御部２０９で合成された映像信号と音声信号を出力する。具体例としては、ＨＤＭＩ端子などが考えられる。
【００３１】
フラッシュメモリ２１２は、レコーダ１０１の制御に必要な各種パラメータを記憶する。
【００３２】
ＣＰＵ２１３は、バス２１５を介して、チューナ２０１、ＡＤＣ２０２、ＡＶエンコーダ２０３、ドライブ制御部２０４、ＡＶデコーダ２０７、ＡＧＣ２０８、ＡＶ出力部２１１、フラッシュメモリ２１２、ＣＰＵ２１３、ＲＡＭ２１４、ネットワーク制御部２１６を制御する。
【００３３】
ＲＡＭ２１４は、ネットワーク制御部２１６から入力されたデータやハードディスク２０５もしくはディスク２０６から読み出されたデータを一時的に記憶する。
【００３４】
バス２１５は、レコーダ１０１内の信号を伝送する経路であり、チューナ２０１、ＡＤＣ２０２、ＡＶエンコーダ２０３、ドライブ制御部２０４、ＡＶデコーダ２０７、ＡＧＣ２０８、ＡＶ出力部２１１、フラッシュメモリ２１２、ＣＰＵ２１３、ＲＡＭ２１４、ネットワーク制御部２１６が接続されている。
【００３５】
ネットワーク制御部２１６は、ネットワーク網１０３を介し、第１のサーバ１０４にコンテンツ等の配信を要求する。また、第１のサーバ１０４に記憶されているコンテンツをネットワーク網１０３を介して受信する。
【００３６】
指示受信部２１７は、ユーザの指示を受信する。具体的には、リモコン１０２の赤外線を受信する受光部であってもよいし、レコーダ１０１の筐体に備えられたレコーダ１０１を制御する為の釦であってもよい。
【００３７】
まず、ダウンロードするコンテンツを選択する動作について説明する。指示受信部２１７はユーザによるコンテンツ配信サービスの選択を受け付ける。ここでは、第１のサービスを選択した場合で説明する。指示受信部２１７が第１のサービスを選択した旨を受け付けると、ＣＰＵ２１３はネットワーク制御部２１６に対し、第１のサーバ１０４からダウンロード可能なコンテンツに関する情報をダウンロードするように命令する。すると、ネットワーク制御部２１６は第２のサーバ１０５に対し、ダウンロード可能なコンテンツに関する情報を要求し、第１のサーバ１０４よりダウンロードする。ダウンロードされたダウンロード可能なコンテンツに関する情報は、一旦ＲＡＭ２１４に記録される。その後、グラフィック制御部２０９がＲＡＭ２１４に記録されたダウンロード可能なコンテンツに関する情報を映像信号に変換し、ＡＶ出力部２１１を通じて出力される。なお、ダウンロード可能なコンテンツに関する情報とは、ダウンロード可能なコンテンツの一部のリストでもよいし、ダウンロード可能なコンテンツに関する情報の全てを含んだリストでも良い。
【００３８】
ユーザはデジタルテレビ１００に表示されるダウンロード可能なコンテンツを示す映像を参照して、ダウンロードするコンテンツを選択する。指示受信部２１７がユーザによるコンテンツの選択を検知すると、ＣＰＵ２１３はネットワーク制御部２１６に対し、その選択されたコンテンツをダウンロードするように命令する。するとネットワーク制御部２１６は第１のサーバ１０４からそのコンテンツをダウンロードする。
【００３９】
ダウンロードされたコンテンツはＲＡＭ２１４に記録される。ＲＡＭ２１４に記録されたコンテンツはＡＶデコーダ２０７において、映像信号と音声信号にデコードされ、ＡＧＣ２０８に入力される。ＡＧＣ２０８はＣＰＵ２１３から自動利得制御をオンにする旨の制御を受けた場合には、入力される映像信号および／または音声信号に対して、自動利得制御をして、グラフィック制御部２０９に出力する。一方、ＣＰＵ２１３から自動利得制御をオフにする旨の制御を受けた場合には、入力される映像信号および／または音声信号をそのままグラフィック制御部２０９に出力する。ＣＰＵ２１３がどのような場合にＣＰＵ２１３から自動利得制御をオンにする旨の制御し、どのような場合にＣＰＵ２１３から自動利得制御をオフにする旨の制御をするかについての詳細は後述する。
【００４０】
グラフィック制御部２０９においては、映像信号に対し種々の画面が合成された後、ＡＶ出力部２１１より映像信号と音声信号が出力される。
【００４１】
なお、ユーザが第２のサービスを選択した場合も、ネットワーク制御部２１６がアクセスするサーバが、第１のサーバ１０４から第２のサーバ１０５に代わる以外は同様の動作であるので、説明は省略する。
【００４２】
次にＡＧＣ２０８において、自動利得制御の要否の判断動作を説明する。図４はＡＧＣ２０８における自動利得制御の要否の判断動作を示す図である。
【００４３】
ＣＰＵ２１３は指示受信部２１７が受け付けたユーザによるコンテンツ配信サービスの選択を受け付けたかどうかを監視する（Ｓ４０１）。指示受信部２１７がユーザによるコンテンツ配信サービスを受け付けた場合は、その選択されたコンテンツ配信サービスが任意のユーザがアップロード可能か否かを判断する（Ｓ４０２）。本実施の形態では、第１のサーバ１０４は所定の管理者により記録されるコンテンツが管理されているサーバである。第２のサーバ１０５は提供するサービスは任意のユーザがアップロード可能なサービスを提供するサーバである。
【００４４】
選択されたコンテンツ配信サービスが任意のユーザがコンテンツのアップロードを可能であるサービスの場合は、ＣＰＵ２１３はＡＧＣ２０８に対し、自動利得制御をオンにするように命令する。すると、ＡＧＣ２０８は自動利得制御をオンにする（Ｓ４０３）。したがって、ＡＧＣ２０８に入力された映像信号と音声信号に対して、自動利得制御の処理がされ、グラフィック制御部２０９に出力される。なお、この場合において、映像信号と音声信号の両方に対して自動利得制御の処理をしてもよいし、映像信号と音声信号のいずれか一方に対して自動利得制御の処理をしてもよい。
【００４５】
選択されたコンテンツ配信サービスが任意のユーザがコンテンツのアップロードを可能であるサービスでない場合は、ＣＰＵ２１３はＡＧＣ２０８に対し、自動利得制御をオフにするように命令する。すると、ＡＧＣ２０８は自動利得制御をオフにする。したがって、ＡＧＣ２０８に入力された映像信号と音声信号はそのままＡＧＣ２０８に出力される（Ｓ４０４）。
【００４６】
つまり、本実施の形態における再生装置は、ネットワークを介して接続するサーバからコンテンツをダウンロードするネットワーク制御部２１６と、ネットワーク制御部２１６でダウンロードしたコンテンツをデコードし、映像信号および音声信号として出力するＡＶデコーダ２０７と、ネットワーク制御部２１６でダウンロードするコンテンツに応じて、映像信号及び／または音声信号の信号レベルの調整をするＡＧＣ２０８と、ＡＧＣ２０８から出力された映像信号及び／または音声信号を外部に出力するＡＶ出力部２１１と、を備えている。
【００４７】
また、本実施の形態における再生装置は、ＡＧＣ２０８は、ネットワーク制御部２１６でダウンロードするコンテンツを配信するコンテンツ配信サービスに応じて、映像信号及び／または音声信号の信号レベルの調整をする。
【００４８】
また、本実施の形態における再生装置は、ＡＧＣ２０８は、ネットワーク制御部２１６でダウンロードするコンテンツを配信するコンテンツ配信サービスが、任意のユーザがコンテンツのアップロードが可能であるコンテンツ配信サービスである場合に、自動利得制御をオンにする。
【００４９】
これにより、すでに映像信号や音声信号に対して信号レベルの調整がされている可能性が高いコンテンツに対しては、自動利得制御をすることなく再生する一方、映像信号や音声信号に対して信号レベルの調整がされている可能性が低いコンテンツに対しては、自動利得制御をかけることができる。
【００５０】
したがって、ユーザはコンテンツをより適切な信号レベルで再生することができる。
（実施の形態２）
本発明における第２の実施の形態を以下に説明する。なお、自動利得制御の要否の判断動作以外については実施の形態１と同じであるので、構成要素や動作については説明を省略する。
【００５１】
図５は、自動利得制御の要否の判断動作の一例を示すフローチャートある。本実施の形態においては、コンテンツの著作権情報の有無を利用する。一般に、著作権情報が付与されているコンテンツは、何者かが管理しているコンテンツである可能性が高く、したがって、適切な信号レベルに調整されている可能性が高い。したがって、本実施の形態では、コンテンツの著作権情報の有無に基づき、自動利得制御の必要性を判断しオンとオフを切り換える。
【００５２】
ＣＰＵ２１３は指示受信部２１７が受け付けたユーザによるコンテンツ配信サービスの選択を受け付けたかどうかを監視する（Ｓ５０１）。指示受信部２１７がユーザによるコンテンツ配信サービスを受け付けた場合、ＣＰＵ２１３はさらにユーザによるコンテンツの選択を受け付けたかどうかを監視する（Ｓ５０２）。指示受信部２１７がユーザによるコンテンツの選択を受け付けた場合は、まず、ＣＰＵ２１３はその選択されたコンテンツ配信サービスが任意のユーザがアップロード可能か否かを判断する（Ｓ５０３）。選択されたコンテンツ配信サービスが任意のユーザがアップロード可能で無い場合には、ＣＰＵ２１３はダウンロードするコンテンツの種類にかかわらずＡＧＣ２０８における自動利得制御をオフにする（Ｓ５０５）。
【００５３】
一方、選択されたコンテンツ配信サービスが任意のユーザがアップロード可能で有る場合には、ＣＰＵ２１３はさらにダウンロード中のコンテンツが著作権情報を含むか否かを判断する（Ｓ５０４）。ＣＰＵ２１３はそのコンテンツに著作権情報が含まれている場合は、ＡＧＣ２０８の自動利得制御をオフにする（Ｓ５０５）。一方、ＣＰＵ２１３はそのコンテンツに著作権情報が含まれていない場合は、ＡＧＣ２０８の自動利得制御をオンにする（Ｓ５０６）。
【００５４】
つまり、本実施の形態における再生装置は、ＡＧＣ２０８は、ネットワーク制御部２１６でダウンロードするコンテンツに著作権情報が含まれない場合には、ネットワーク制御部２１６でダウンロードするコンテンツがＡＧＣ２０８における自動利得制御をオンとすべきコンテンツであっても、ＡＧＣ２０８における自動利得制御をオフにする。
【００５５】
上記の自動利得制御の要否の判断動作によると、コンテンツ配信サービスから配信されるコンテンツの著作権情報を利用し、自動利得制御のオンとオフを切り換えることができる。それ故、著作権が付与されており適正な信号レベルに設定されている可能性が高いコンテンツについては自動利得制御をオフにして、自動利得制御により反って信号レベルが最適なレベルから外れることを防止する。一方、著作権が付与されておらず適正な信号レベルに設定されている可能性が低いコンテンツについては自動利得制御をオンにして、コンテンツの信号レベルを最適なレベルとする。
【００５６】
これにより、ユーザはより視聴に適した信号レベルのコンテンツを視聴することができる。
（実施の形態３）
本発明における第３の実施の形態を以下に説明する。なお、自動利得制御の要否の判断動作以外については実施の形態１と同じであるので、構成要素や動作については説明を省略する。
【００５７】
図６は、自動利得制御の要否の判断動作の一例を示すフローチャートある。本実施の形態においては、コンテンツの再生時間の長さ情報を利用する。一般に、任意のユーザがアップロード可能なコンテンツ配信サービスにアップロード可能なコンテンツの再生時間には制限があることが多い。例えば、コンテンツの再生期限が１０分と設定されているサービスにおいては、１０分以下のコンテンツはアップロードできるが、１０分を超えるコンテンツについてはアップロードが不可能となる。よって、任意のユーザがアップロード可能であるコンテンツ配信サービスにアップロードされているコンテンツの再生時間は所定の時間以下となる。したがって、本実施の形態では、コンテンツの再生時間に基づき、自動利得制御の自動利得制御の必要性を判断しオンとオフを判断する。したがって、本実施の形態では、コンテンツは再生時間に基づき、自動利得制御の必要性を判断しオンとオフを切り換える
ＣＰＵ２１３は指示受信部２１７が受け付けたユーザによるコンテンツ配信サービスの選択を受け付けたかどうかを監視する（Ｓ６０１）。指示受信部２１７がユーザによるコンテンツ配信サービスを受け付けた場合、ＣＰＵ２１３はさらにユーザによるコンテンツの選択を受け付けたかどうかを監視する（Ｓ６０２）。指示受信部２１７がユーザによるコンテンツの選択を受け付けた場合は、まず、ＣＰＵ２１３はその選択されたコンテンツ配信サービスが任意のユーザがアップロード可能か否かを判断する（Ｓ６０３）。選択されたコンテンツ配信サービスが任意のユーザがアップロード可能で無い場合には、ＣＰＵ２１３はダウンロードするコンテンツの種類にかかわらずＡＧＣ２０８における自動利得制御をオフにする（Ｓ６０５）。
【００５８】
一方、選択されたコンテンツ配信サービスが任意のユーザがアップロード可能で有る場合には、ＣＰＵ２１３はさらにダウンロード中のコンテンツの再生時間に関する情報を参照する（Ｓ６０４）。ＣＰＵ２１３はそのコンテンツの再生時間が所定の時間（例えば、１０分）より長い場合は、ＡＧＣ２０８の自動利得制御をオフにする（Ｓ６０５）。一方、ＣＰＵ２１３はそのコンテンツの再生時間が所定の時間（例えば、１０分）より短い場合は、ＡＧＣ２０８の自動利得制御をオンにする（Ｓ６０６）。
【００５９】
つまり、本実施の形態における再生装置は、ＡＧＣ２０８は、ネットワーク制御部２１６でダウンロードするコンテンツの再生時間が第一の時間の場合はＡＧＣ２０８における自動利得制御をオンにし、ネットワーク制御部２１６でダウンロードするコンテンツの再生時間が第一の時間よりも長い第二の時間の場合は、ネットワーク制御部２１６でダウンロードするコンテンツがＡＧＣ２０８における自動利得制御をオンとすべきコンテンツあっても、ＡＧＣ２０８における自動利得制御をオフにする。
【００６０】
上記の自動利得制御の要否の判断動作によると、コンテンツ配信サービスから配信されるコンテンツの再生時間の長さに応じて自動利得制御のオンとオフを切り換えることができる。それ故、再生時間が所定の時間を越えているため管理されたコンテンツの可能性が高いコンテンツをダウンロードしている場合は、適正な信号レベルに設定されている可能性が高いため自動利得制御をオフにして、自動利得制御により反って信号レベルが最適なレベルから外れることを防止する。一方、再生時間が所定の時間以下であるため任意のユーザがアップロードした可能性が高いコンテンツをダウンロードしている場合は、適正な信号レベルに設定されている可能性が低いため自動利得制御をオンにして、コンテンツの信号レベルを最適なレベルとする。
【００６１】
これにより、ユーザはより視聴に適した信号レベルのコンテンツを視聴することができる。
（実施の形態４）
本発明における第４の実施の形態を以下に説明する。なお、自動利得制御の要否の判断動作以外については実施の形態１と同じであるので、構成要素や動作については説明を省略する。
【００６２】
図７は、自動利得制御の要否の判断動作の一例を示すフローチャートある。本実施の形態においては、ユーザによる自動利得制御の要否情報を利用する。
【００６３】
ＣＰＵ２１３は指示受信部２１７が受け付けたユーザによるコンテンツ配信サービスの選択を受け付けたかどうかを監視する（Ｓ７０１）。指示受信部２１７がユーザによるコンテンツ配信サービスを受け付けた場合、ＣＰＵ２１３はその選択されたコンテンツ配信サービスが任意のユーザがアップロード可能か否かを判断する（Ｓ７０２）。選択されたコンテンツ配信サービスが任意のユーザがアップロード可能で無い場合には、ＣＰＵ２１３はダウンロードするコンテンツの種類にかかわらずＡＧＣ２０８における自動利得制御をオフにする（Ｓ７０４）。
【００６４】
一方、選択されたコンテンツ配信サービスが任意のユーザがアップロード可能で有る場合には、ＣＰＵ２１３はフラッシュメモリ２１２にユーザによる自動利得制御オフの旨が記録されている否かを判断する（Ｓ７０３）。フラッシュメモリ２１２に自動利得制御オフの旨が記録されている場合は、ＣＰＵ２１３は、ＣＰＵ２１３はＡＧＣ２０８の自動利得制御をオフにする（Ｓ７０４）。一方、フラッシュメモリ２１２に自動利得制御オフの旨が記録されていない場合は、ＣＰＵ２１３は、ＣＰＵ２１３はＡＧＣ２０８の自動利得制御をオンにする（Ｓ７０５）。
【００６５】
つまり、本実施の形態における再生装置は、ユーザの自動利得制御のオンまたはオフの希望を受け付ける指示受信部２１７をさらに備え、
ＡＧＣ２０８は、
前記ダウンロード部でダウンロードするコンテンツが自動利得制御をオンとすべきコンテンツであっても、
指示受信部２１７がユーザの自動利得制御のオフの希望を受け付けている場合には、
自動利得制御をオフにする、請求項１乃至３のいずれかに記載の再生装置。
指示受信部２１７は、さらに、ユーザの自動利得制御のオンまたはオフの希望を受け付け、ＣＰＵ２１３は、指示受信部２１７で選択を受け付けたコンテンツ配信サービスがＡＧＣ２０８における自動利得制御をオンとすべきコンテンツ配信サービスであっても、指示受信部２１７がユーザの自動利得制御のオフの希望を受け付けている場合には、自動利得制御をオフにする。
【００６６】
上記の自動利得制御の要否の判断動作によると、任意のユーザがアップロード可能なコンテンツ配信サービスからコンテンツをダウンロードしている場合であっても、そのダウンロード中のコンテンツが自動利得制御が不要なコンテンツである場合には、ユーザは手動で自動利得制御をオフにすることができる。それ故、任意のユーザがアップロード可能なコンテンツ配信サービスにおいて、信号レベルを管理されたコンテンツが配信された場合であっても、ユーザは最適な信号レベルで視聴することができる。
（他の実施の形態）
なお、実施の形態１から４に記載は実施の形態の一例である。各実施の形態に対し、例えば、以下のような構成や動作であってもよい。
【００６７】
ＡＧＣ２０８は自動利得制御を入力された映像信号と音声信号に対し、自動利得制御を実行し、グラフィック制御部２０９に出力する、もしくは、入力された映像信号と音声信号とをそのままグラフィック制御部２０９に出力するとしているが、この構成に限られるものではない。
【００６８】
例えば、自動利得部の前段に別途スイッチを設けて、当該スイッチにおいて、入力された映像信号と音声信号に対し、そのまま出力するもしくは自動利得制御回路に入力する、のいづれかを切り換えても良い。そして、自動利得制御回路に入力された映像信号と音声信号は全て自動利得制御をかけても良い。
【００６９】
つまり、ＣＰＵ２１３による制御に基づき、入力された映像信号と音声信号をそのまま出力する、もしくは、自動利得制御をして出力することができればどのような構成であっても良い。
【００７０】
また、自動利得制御をかける信号は、映像信号と音声信号の両方にかけてもよいし、映像信号と音声信号の一方だけでも良い。
【００７１】
また、コンテンツ配信サービスにおいて、同一に配信業者によるコンテンツ配信サービスや同一のサービス名によるコンテンツ配信サービスである場合であっても、コンテンツ配信業者が配信するコンテンツを管理しているサービスと、任意のユーザがコンテンツをアップロードできるサービスとの両方を備えている場合に追いては、これらは別々のサービスであるとしても良い。つまり、商業上は同一のサービスと判断できる場合であっても、本発明の理解の上では別サービスと捕らえることが可能である。
【００７２】
また、本実施の形態はダウンロードしたコンテンツをすぐに再生する、所謂ストリーミング再生において説明しているが、ダウンロードしたコンテンツを一旦ハードディスク２０５またはディスク２０６に記録しておき、再生時に自動利得制御のオンとオフを切り換えても良い。この場合は、コンテンツ配信サービスの名称や著作権情報や再生時間を必要に応じてハードディスク２０５またはディスク２０６に記憶しておき、ＣＰＵ２１３がその情報を読み取ることにより、本発明の実現は可能である。
【００７３】
また、本実施の形態ではレコーダ１０１として説明したが、図８に示す表示装置１０６であっても良い。この場合、表示装置はＰＤＰ、液晶、有機ＥＬなど表示装置であれば、何でも良い。ようするに、映像を表示可能な表示装置であれば全て含んでよい。
【００７４】
つまり、この表示装置は、ユーザによるコンテンツ配信サービスの選択と、その選択したコンテンツ配信サービスにより提供されるコンテンツ中からユーザによるダウンロードを希望するコンテンツの選択を受け付ける指示受信部２１７と、指示受信部２１７で受け付けたダウンロードを希望するコンテンツを、ネットワークを介して接続するサーバからダウンロードするネットワーク制御部２１６と、ネットワーク制御部２１６でダウンロードしたコンテンツをデコードし、映像信号として出力するＡＶデコーダ２０７と、自動利得制御がオンの場合には映像信号の信号レベルを調整して出力し、自動利得制御がオフの場合には映像信号をそのまま出力するＡＧＣ２０８と、指示受信部２１７で選択を受け付けたコンテンツ配信サービスに応じて、ＡＧＣ２０８における自動利得制御のオンとオフを切り換えるＣＰＵ２１３と、ＡＧＣ２０８から出力された映像信号を表示する表示部２１８と、を備える。
【００７５】
また、この音声再生装置は、ユーザによるコンテンツ配信サービスの選択と、その選択したコンテンツ配信サービスにより提供されるコンテンツ中からユーザによるダウンロードを希望するコンテンツの選択を受け付ける指示受信部２１７と、指示受信部２１７で受け付けたダウンロードを希望するコンテンツを、ネットワークを介して接続するサーバからダウンロードするネットワーク制御部２１６と、ネットワーク制御部２１６でダウンロードしたコンテンツをデコードし、音声信号として出力するＡＶデコーダ２０７と、自動利得制御がオンの場合には音声信号の信号レベルを調整して出力し、自動利得制御がオフの場合には音声信号をそのまま出力するＡＧＣ２０８と、指示受信部２１７で選択を受け付けたコンテンツ配信サービスに応じて、ＡＧＣ２０８における自動利得制御のオンとオフを切り換えるＣＰＵ２１３と、ＡＧＣ２０８から出力された音声信号を音声として出力するスピーカ２１９と、を備える。
【００７６】
また、図３に示す自動利得制御の動作はあくまで一例である。したがって、本発明において自動利得制御は図３の動作に限定されるものではなく、入力信号の利得を自動的に制御するものの全てを含む。
【００７７】
また、ＣＰＵ２１３がコンテンツ配信サービスを判断する為の情報は、接続するサーバのＵＲＬであっても良い。つまり、本実施の形態における再生装置は、ＡＧＣ２０８は、ダウンロードするコンテンツのダウンロード先のサーバのＵＲＬに基づき、映像信号及び／または音声信号の信号レベルの調整をする。
【００７８】
また、サーバ１０４またはサーバ１０５において、コンテンツ配信サービスの制御の為の情報がＪａｖａ（登録商標）Ｓｃｒｉｐｔなどの所定の言語で記載されており、その言語をＣＰＵ２１３が解釈することによりサービスを提供可能なコンテンツ配信サービスにおいて、あるコンテンツを自動利得制御するか否かの情報を、その言語にコメントとして記載しても良い。このコメントには自動利得の要否を示す自動利得制御情報が記載されている。この場合、ＣＰＵ２１３がその言語のコメントを解釈して、自動利得制御の要否を判断する。自動利得の制御の要否はコンテンツ配信サービスごとに定められてもよいし、コンテンツ毎に定められても良い。
【００７９】
つまり、本実施の形態における再生装置は、ＡＧＣ２０８は、ネットワーク制御部２１６でコンテンツともにダウンロードした自動利得制御情報に基づき、自動利得制御を調整する。
ＣＰＵ２１３は、ネットワーク制御部２１６でコンテンツともにダウンロードした自動利得制御情報に基づき、ＡＧＣ２０８における自動利得制御のオンとオフを切り換える。
（本実施の形態と請求項に記載の発明との文言の対応）
本実施の形態と請求項に記載の発明との文言の対応について、説明する。
【００８０】
指示受信部２１７は受付部の一例である。ネットワーク制御部２１６はダウンロード部の一例である。ＡＶデコーダ２０７はデコーダの一例である。ＡＧＣ２０８は自動利得制御部の一例である。ＣＰＵ２１３は切換判別部の一例である。グラフィック制御部２０９およびＡＶ出力部２１１は出力部の一例である。グラフィック制御部２０９および表示部２３０は表示部の一例である。スピーカ２１９はスピーカの一例である。
【産業上の利用可能性】
【００８１】
本発明の録画編集装置は、デジタルテレビや、レコーダなど放送番組等を録画可能な装置に用いることができる。
【図面の簡単な説明】
【００８２】
【図１】本発明の実施の形態１〜４におけるコンテンツ配信システムの構成を示すブロック図
【図２】本発明の実施の形態１〜４におけるレコーダ１０１の構成を示すブロック図
【図３】自動利得制御における入力信号レベルと出力信号レベルの一例を示す図
【図４】本発明の実施の形態１における自動利得制御の要否の判断動作を示すフローチャート
【図５】本発明の実施の形態２における自動利得制御の要否の判断動作を示すフローチャート
【図６】本発明の実施の形態３における自動利得制御の要否の判断動作を示すフローチャート
【図７】本発明の実施の形態４における自動利得制御の要否の判断動作を示すフローチャート
【図８】本発明の他の実施の形態における表示装置１０６の構成を示すブロック図
【符号の説明】
【００８３】
１００    デジタルテレビ
１０１    レコーダ
１０２    リモコン
１０３    ネットワーク網
１０４    第１のサーバ
１０５    第２のサーバ
１０６    表示装置
２０１    チューナ
２０２    ＡＤＣ（analog digital convertor：アナログデジタル変換部）
２０３    ＡＶエンコーダ
２０４    ドライブ制御部
２０５    ハードディスク
２０６    ディスク
２０７    ＡＶデコーダ
２０８    ＡＧＣ（Auto Gain Controller:自動利得制御部）
２０９    グラフィック制御部
２１０    メモリ
２１１    ＡＶ出力部
２１２    フラッシュメモリ
２１３    ＣＰＵ
２１４    ＲＡＭ
２１５    バス
２１６    ネットワーク制御部
２１７    指示受信部
２１８    表示部
２１９    スピーカ
【図１】
2010129098.tif 000003
【図２】
2010129098.tif 000004
【図３】
2010129098.tif 000005
【図４】
2010129098.tif 000006
【図５】
2010129098.tif 000007
【図６】
2010129098.tif 000008
【図７】
2010129098.tif 000009
【図８】
2010129098.tif 000010